(57)【要約】      （修正有）【課題】圧電素子を利用した発電装置において、効率良く発電することのできる技術を提供する。【解決手段】発電装置１００は、対向する２つの振動体１２，１４を有する音叉型振動体１０と、音叉型振動体１０に対して相対的に回転運動が可能であり、回転運動によって２つの振動体１２，１４のうちの少なくとも一方を弾く偏心錘２０と、音叉型振動体１０に取り付けられた圧電素子４０Ａ，４０Ｂとを備える。偏心錘２０の回転運動の回転軸Ｏは、２つの振動体１２，１４の間に位置している．【選択図】図１
2014121168.tif 000002
【特許請求の範囲】
【請求項１】
発電装置であって、
対向する２つの振動体を有する音叉型振動体と、
前記音叉型振動体に対して相対的に回転運動が可能であり、前記回転運動によって前記２つの振動体のうちの少なくとも一方を弾く偏心錘と、
前記音叉型振動体に取り付けられた圧電素子と
を備えることを特徴とする、発電装置。
【請求項２】
請求項１に記載の発電装置であって、
前記偏心錘の前記回転運動の回転軸は、前記２つの振動体の間に位置していることを特徴とする、発電装置。
【請求項３】
請求項１または請求項２に記載の発電装置であって、
前記２つの振動体は、それぞれ自由端を有することを特徴とする、発電装置。
【請求項４】
請求項３に記載の発電装置であって、
前記圧電素子の少なくとも一部分は、前記振動体の根元から、前記振動体の長さの１／２以内の位置に取り付けられていることを特徴とする、発電装置。
【請求項５】
請求項１または請求項２に記載の発電装置であって、
前記音叉型振動体は、前記２つの振動体の両端が一体となって固定された双音叉型振動体であることを特徴とする、発電装置。
【請求項６】
請求項１から請求項５のいずれか一項に記載の発電装置であって、
前記振動体のうち、前記偏心錘が接触する位置には、凸部が設けられていることを特徴とする、発電装置。
【請求項７】
請求項１から請求項６のいずれか一項に記載の発電装置であって、
前記振動体のうち、前記偏心錘に接触する位置と、前記偏心錘のうち、前記振動体に接触する位置との少なくとも一方には、滑り機構が設けられていることを特徴とする、発電装置。
【請求項８】
請求項１から請求項７のいずれか一項に記載の発電装置であって、
前記振動体のうち、前記偏心錘に接触する位置と、前記偏心錘のうち、前記振動体に接触する位置との少なくとも一方には、摩擦を小さくするための表面処理が施されていることを特徴とする、発電装置。
【請求項９】
請求項１から請求項８のいずれか一項に記載の発電装置と、
前記発電装置から電力の供給を受けるセンサと
を備えることを特徴とする、監視装置。
【発明の詳細な説明】
【技術分野】
【０００１】
本発明は、発電装置及び監視装置に関するものである。
【背景技術】
【０００２】
従来、圧電素子を利用した発電装置に関する技術としては、例えば、下記の特許文献に開示されたものが知られている。特許文献１に記載された発電装置は、回転する取り付け対象物の回転軸に取り付けられ、取り付け対象物の回転軸の同心円上に配置された球体が圧電素子に衝突することによって発電する。
【０００３】
特許文献２に記載された発電装置は、回転する取り付け対象物の円周上に取り付けられ、２つの圧電素子の間に配置された球体が当該圧電素子の手前に設けられたプロテクタに衝突することによって発電する。特許文献３に記載された発電装置は、筒状の圧電素子の内部に配置された球体が、発電装置の回転に伴って筒状の圧電素子の内壁に衝突することによって発電する。
【先行技術文献】
【特許文献】
【０００４】
【特許文献１】特開２００４−２８２９１５号公報
【特許文献２】特開２００３−１６１６３８号公報
【特許文献３】特開２００３−６１３６８号公報
【特許文献４】特開２００２−２６２５８４号公報
【特許文献５】特開平１１−３３０５８２号公報
【発明の概要】
【発明が解決しようとする課題】
【０００５】
しかし、特許文献１に記載された発電装置は、取り付け対象物と同一の回転軸を利用するため、発電装置の設置場所が、取り付け対象物の回転軸に限定されるといった課題があった。また、特許文献２及び特許文献３に記載された発電装置では、球体が圧電素子に直接またはプロテクタを隔てて間接的に衝突するため、発電量を増加させるために球体の質量を大きくすると、球体の衝突による衝撃によって圧電素子が破損する可能性があるといった課題があった。
【０００６】
また、上記特許文献に記載された発電装置において、効率良く発電したいという課題もあった。
【課題を解決するための手段】
【０００７】
本発明は、上述の課題の少なくとも一部を解決するためになされたものであり、以下の形態として実現することが可能である。
【０００８】
（１）本発明の一形態によれば、発電装置が提供される。発電装置は、対向する２つの振動体を有する音叉型振動体と；前記音叉型振動体に対して相対的に回転運動が可能であり、前記回転運動によって前記２つの振動体のうちの少なくとも一方を弾く偏心錘と；前記音叉型振動体に取り付けられた圧電素子と；を備える。この形態の発電装置は、回転する対象物に取り付けられる。この発電装置が取り付け対象物の回転に伴って回転すると、偏心錘は、音叉型振動体に対して相対的に回転し、振動体を弾く。振動体が弾かれると、音叉型振動体は振動（場合によっては共振）し、音叉型振動体に歪みが発生する。圧電素子は、この音叉型振動体の歪みに伴って歪むので、音叉型振動体の振動を利用して効率良く発電することができる。さらに、この形態の発電装置の設置場所は、取り付け対象物の回転軸に限定されず、回転する取り付け対象物の円周上にも設置することができる。さらに、この形態の発電装置は、圧電素子に直接または間接的に衝突する球体を用いないため、圧電素子の破損を抑制することができる。
【０００９】
（２）上記形態の発電装置において、前記偏心錘の前記回転運動の回転軸は、前記２つの振動体の間に位置していてもよい。この形態の発電装置によれば、偏心錘は、２つの振動体の間で回転することになるので、発電装置を小型化することができる。
【００１０】
（３）上記形態の発電装置において、  前記２つの振動体は、それぞれ自由端を有していてもよい。この形態の発電装置としては、例えば、Ｕ字型の音叉型振動体を採用することができる。
【００１１】
（４）上記形態の発電装置において、前記圧電素子の少なくとも一部分は、前記振動体の根元から、前記振動体の長さの１／２以内の位置に取り付けられていてもよい。振動時に音叉型振動体に生じる歪み（応力）は、振動体の根元に近い位置ほど大きい。したがって、この形態の発電装置によれば、圧電素子が、振動体の歪み（応力）の大きい位置に取り付けられているので、発電量を増加させることができる。
【００１２】
（５）上記形態の発電装置において、前記音叉型振動体は、前記２つの振動体の両端が一体となって固定された双音叉型振動体であってもよい。双音叉型振動体は、機械的Ｑ値が大きいので、振動の持続時間が長い。したがって、この形態の発電装置によれば、発電量をさらに増加させることができる。
【００１３】
（６）上記形態の発電装置において、前記振動体のうち、前記偏心錘が接触する位置には、凸部が設けられていてもよい。この形態の発電装置によれば、振動体に凸部を設けることで、偏心錘と振動体との接触面積が小さくなって偏心錘と振動体（凸部）との摩擦力が低下するので、偏心錘と振動体（凸部）とが接触した際における固着を抑制し、振動体を安定して弾くことができる。このため、発電量をさらに増加させることができる。
【００１４】
（７）上記形態の発電装置において、前記振動体のうち、前記偏心錘に接触する位置と、前記偏心錘のうち、前記振動体に接触する位置との少なくとも一方には、滑り機構が設けられていてもよい。この形態の発電装置によれば、偏心錘と振動体とが接触した際における固着を抑制することができるので、安定して発電することができる。
【００１５】
（８）上記形態の発電装置において、前記振動体のうち、前記偏心錘に接触する位置と、前記偏心錘のうち、前記振動体に接触する位置との少なくとも一方には、摩擦を小さくするための表面処理が施されていてもよい。この形態の発電装置によれば、偏心錘と振動体とが接触した際における固着を抑制することができるので、安定して発電することができる。
【００１６】
（９）本発明の他の形態によれば、監視装置が提供される。監視装置は、上記形態の発電装置と、前記発電装置から電力の供給を受けるセンサとを備える。この形態の監視装置によれば、外部から電力の供給を受けるためのケーブルが不要であるため、設置の自由度が大幅に向上する。
【００１７】
本発明は、装置以外の種々の形態で実現することも可能である。例えば、発電装置の製造方法や発電方法等の形態で実現することができる。
【図面の簡単な説明】
【００１８】
【図１】第１実施形態としての発電装置の構成を示す説明図である。
【図２】発電装置の回転する様子を示す説明図である。
【図３】第２実施形態としての発電装置の構成を示す説明図である。
【図４】第３実施形態としての発電装置の構成を示す説明図である。
【図５】第４実施形態としての発電装置の構成を示す説明図である。
【図６】第４実施形態の変形例としての発電装置を示す説明図である。
【図７】第５実施形態としての発電装置の構成を示す説明図である。
【図８】第６実施形態としての発電装置の構成を示す説明図である。
【図９】第７実施形態としての発電装置の構成を示す説明図である。
【図１０】第８実施形態としての発電装置の構成を示す説明図である。
【図１１】発電装置を搭載した劣化監視装置が風車に取り付けられている様子を示す説明図である。
【図１２】劣化監視装置のパッケージング構成を概略的に示す説明図である。
【図１３】発電装置を搭載したタイヤ空気圧監視装置がタイヤに取り付けられている様子を示す説明図である。
【発明を実施するための形態】
【００１９】
次に、本発明の実施の形態を実施形態に基づいて以下の順序で説明する。
Ａ〜Ｈ．第１実施形態〜第８実施形態：
Ｉ．発電装置を搭載した装置の実施形態：
Ｊ．変形例：
【００２０】
Ａ．第１実施形態：
図１は、本発明の一実施形態としての発電装置１００の構成を示す説明図である。発電装置１００は、回転する物体に取り付けられ、当該物体とともに回転することによって発電する発電装置である。発電装置１００は、音叉型振動体１０と、偏心錘２０と、圧電素子４０Ａ、４０Ｂと、これらを内部に収容する筐体９０とを備えている。
【００２１】
音叉型振動体１０は、対向する２つの振動体１２、１４を有する音叉であり、固定部５０によって筐体９０に固定されている。本実施形態では、音叉型振動体１０は、Ｕ字型の音叉であり、２つの振動体１２、１４は、それぞれ自由端１２ｔ、１４ｔを有している。振動体１２、１４の内側のうち、自由端１２ｔ、１４ｔの近傍には、それぞれ凸部１６Ａ、１６Ｂが設けられている。なお、本実施形態では、音叉型振動体１０は、ステンレス鋼であるＳＵＳ３０３によって形成されている。ただし、音叉型振動体１０は、ＳＵＳ３０３以外の他の材料によって形成されていてもよい。
【００２２】
偏心錘２０は、支持体６０の先端に設けられた回転軸Ｏに支持されており、この支持体６０は、固定部７０によって筐体９０に固定されている。偏心錘２０の回転軸Ｏは、偏心錘２０の重心とは異なる位置に設けられている。偏心錘２０は、回転軸Ｏを中心に回転することが可能であり、発電装置１００が回転すると、偏心錘２０は、重力によって鉛直下向き方向に垂下した状態を維持する。このため、偏心錘２０は、発電装置１００が回転すると、音叉型振動体１０に対して相対的に回転することになる。偏心錘２０の先端には、滑り機構としての回転体２２が取り付けられている。
【００２３】
回転体２２は、偏心錘２０が回転軸Ｏを中心に回転すると、振動体１２、１４に取り付けられた凸部１６Ａ，１６Ｂに接触する。回転体２２が凸部１６Ａ、１６Ｂに接触すると、音叉型振動体１０は歪み、回転体２２が凸部１６Ａ，１６Ｂから離れると、音叉型振動体１０は弾性力によって元の形状に戻ろうとする。音叉型振動体１０は、このときの反動によって振動する。
【００２４】
なお、本実施形態では、偏心錘２０は、ステンレス鋼であるＳＵＳ３０３によって形成されている。ただし、偏心錘２０は、ＳＵＳ３０３以外の他の材料によって形成されていてもよい。また、偏心錘２０の大きさや重さは、任意に設定することができるが、音叉型振動体１０の大きさや重さに応じて設定することが好ましい。
【００２５】
圧電素子４０Ａ、４０Ｂは、本実施形態では、振動体１２、１４の外側に取り付けられている。音叉型振動体１０が偏心錘２０によって弾かれて振動すると、振動体１２、１４に歪みが発生する。振動体１２、１４に歪みが発生すると、圧電素子４０Ａ、４０Ｂにも歪みが発生し、電圧が発生する。圧電素子４０Ａ、４０Ｂには、後述する電極が設けられている。この電極に図示しない配線が接続されており、この配線を通して外部に電力が供給される。
【００２６】
なお、本実施形態では、圧電素子４０Ａ、４０Ｂの少なくとも一部分は、振動体１２、１４の根元１６から、振動体１２、１４の長さＬの１／２以内の位置に取り付けられている。この理由は次のとおりである。
【００２７】
振動時に音叉型振動体１０に生じる歪み（応力）は、振動体１２、１４の根元１６に近い位置ほど大きい。したがって、本実施形態の発電装置１００のように、圧電素子４０Ａ、４０Ｂを、振動体１２、１４の歪み（応力）の大きい位置に取り付ければ、発電量を増加させることができるからである。なお、振動体１２、１４の長さＬは、自由端１２ｔ、１４ｔから振動体１２、１４の根元１６までの振動体１２、１４の長手方向に沿った直線の長さをいう。
【００２８】
また、本実施形態では、圧電素子４０Ａ、４０Ｂと音叉型振動体１０とは直接接触し、電気的に導通しているが、一部の微小な隙間にはエポキシ樹脂等が充填されているため、圧電素子４０Ａ、４０Ｂは、音叉型振動体１０に接着している。この場合、音叉型振動体１０は、一方の電極として機能する。ただし、圧電素子４０Ａ、４０Ｂの固定方法は、エポキシ樹脂等による接着に限らず、音叉型振動体１０の振動を妨げない形態であれば、どのような固定方法を採用してもよい。また、圧電素子４０Ａ、４０Ｂは、音叉型振動体１０に接していない側の面に形成された上部電極と、音叉型振動体１０に接している側の面に形成された下部電極とを有していてもよく、下部電極は、音叉型振動体１０に接している側の面から折り返して、音叉型振動体１０に接していない側の面まで引き出された構成であってもよい。
【００２９】
図２は、発電装置１００の回転する様子を状態１から状態８として示す説明図である。この図２の例では、発電装置１００は、風車１５０のブレード１５２に取り付けられており、ブレード１５２の回転に伴って回転する。この図２の例では、状態１から状態８に示したように、ブレード１５２及び発電装置１００は、反時計周りに回転する。なお、この図２では、発電装置１００の筐体９０は、便宜上、省略されている。
【００３０】
偏心錘２０は、発電装置１００が回転すると、重力によって鉛直下向きに垂下した状態を維持しようとする。このため、偏心錘２０は、状態１から状態３にかけて振動体１２を弾き、状態５から状態７にかけて振動体１４を弾く。この結果、音叉型振動体１０が振動し、圧電素子４０Ａ、４０Ｂに電圧が発生する。
【００３１】
以上説明したように、ブレード１５２等の取り付け対象物の回転に伴って発電装置１００が回転すると、偏心錘２０は、音叉型振動体１０に対して相対的に回転し、振動体１２、１４を弾く。振動体１２、１４が弾かれると、音叉型振動体１０は振動し、音叉型振動体１０に歪みが発生する。圧電素子４０Ａ、４０Ｂは、この音叉型振動体１０の歪みに伴って歪むので、音叉型振動体１０の振動を利用して効率良く発電することができる。
【００３２】
さらに、本実施形態の発電装置１００の設置場所は、取り付け対象物の回転軸に限定されず、回転する取り付け対象物の円周上にも設置することができる。さらに、本実施形態の発電装置１００は、圧電素子４０Ａ、４０Ｂに直接または間接的に衝突する球体を用いないため、圧電素子４０Ａ、４０Ｂの破損を抑制することができる。
【００３３】
また、本実施形態では、偏心錘２０の回転運動の回転軸Ｏは、２つの振動体１２、１４の間に位置しており、偏心錘２０は、２つの振動体１２、１４の間で回転するので、回転軸Ｏが２つの振動体１２、１４の間に位置していない場合（後述する第７実施形態（図９）参照）に比べて、発電装置１００を小型化することができる。
【００３４】
また、本実施形態では、発電装置１００が１回転する間に２つの振動体１２、１４を弾くので、回転軸Ｏが１つの振動体１４のみを弾く場合（後述する第７実施形態（図９）参照）に比べて、効率よく発電することができる。
【００３５】
また、本実施形態では、振動体１２、１４のうち、偏心錘２０が接触する位置には、凸部１６Ａ、１６Ｂが設けられているので、偏心錘２０と振動体１２、１４との接触面積が小さくなって偏心錘２０と振動体１２、１４（凸部１６Ａ、１６Ｂ）との摩擦力が低下するので、偏心錘２０と振動体１２、１４（凸部１６Ａ、１６Ｂ）とが接触した際における固着を抑制し、振動体１２、１４を安定して弾くことができる。このため、発電量を増加させることができる。
【００３６】
また、本実施形態では、偏心錘２０の先端、すなわち、偏心錘２０のうち、振動体１２、１４と接触する位置には、滑り機構としての回転体２２が設けられているので、偏心錘２０と振動体１２、１４とが接触した際における固着を抑制することができる。したがって、本実施形態によれば、安定して発電することができる。
【００３７】
Ｂ．第２実施形態：
図３は、第２実施形態としての発電装置１００ｂの構成を示す説明図である。図１に示した第１実施形態との違いは、圧電素子４０Ａ、４０Ｂが、振動体１２、１４の自由端１２ｔ、１４ｔの近傍に取り付けられているという点であり、他の構成は第１実施形態と同じである。このように、圧電素子４０Ａ、４０Ａの取り付け位置は限定されないが、発電量を増加させることができるという点において、第１実施形態の方が好ましい。
【００３８】
Ｃ．第３実施形態：
図４は、第３実施形態としての発電装置１００ｃの構成を示す説明図である。図１に示した第１実施形態との違いは、偏心錘２０ｃの形状が異なっているという点であり、他の構成は第１実施形態と同じである。この第３実施形態における偏心錘２０ｃは、略扇型の形状を有しており、振動体１２、１４と接触する部分が円弧状となっている。このように、偏心錘の形状は限定されず、任意の形状を採用することができる。
【００３９】
Ｄ．第４実施形態：
図５は、第４実施形態としての発電装置１００ｄの構成を示す説明図である。図４に示した第３実施形態との違いは、偏心錘２０ｃの円弧状の部分における回転体２２が省略されているという点であり、他の構成は第３実施形態と同じである。このように、滑り機構としての回転体２２は省略することが可能である。
【００４０】
図６は、第４実施形態の変形例としての発電装置１００ｄ１〜１００ｄ３を示す説明図である。なお、この図５では、発電装置１００ｄ１〜１００ｄ３の筐体９０は、便宜上、省略されている。図５に示した第４実施形態との違いは、凸部１６Ａ、１６Ｂの形状が異なっているという点であり、他の構成は第４実施形態と同じである。
【００４１】
具体的には、図６（Ａ）に示す発電装置１００ｄ１の凸部１６Ａ１、１６Ｂ１は、偏心錘２０ｃとの接触部分が円弧形状になっている。図６（Ｂ）に示す発電装置１００ｄ２の凸部１６Ａ２、１６Ｂ２は、略直方体となっている。図６（Ｃ）に示す発電装置１００ｄ３の凸部１６Ａ３、１６Ｂ３は、偏心錘２０ｃとの接触部分が図５に示す第４実施形態よりも小さい台形となっている。このように、振動体１２、１４に設けられる凸部の形状は限定されず、任意の形状を採用することができる。
【００４２】
Ｅ．第５実施形態：
図７は、第５実施形態としての発電装置１００ｅの構成を示す説明図である。図５に示した第４実施形態との違いは、振動体１２、１４に設けられている凸部１６Ａ、１６Ｂが省略されている点と、振動体１２、１４のうち、偏心錘２０ｃに接触する位置及び偏心錘２０ｃのうち、振動体１２、１４に接触する位置に、摩擦を小さくするための表面処理としてＤＬＣ（Diamond-Like Carbon）被膜が形成されている点であり、他の構成は第４実施形態と同じである。
【００４３】
このように、凸部１６Ａ、１６Ｂは省略することが可能である。また、ＤＬＣ被膜によって、偏心錘２０ｃと振動体１２、１４とが接触した際における固着を抑制することができるので、安定して発電することができる。
【００４４】
Ｆ．第６実施形態：
図８は、第６実施形態としての発電装置１００ｆの構成を示す説明図である。図７に示した第５実施形態との違いは、圧電素子４０Ａ、４０Ｂが、振動体１２、１４の自由端１２ｔ、１４ｔの近傍に取り付けられているという点であり、他の構成は第５実施形態と同じである。このように、圧電素子４０Ａ、４０Ａの取り付け位置は限定されないが、発電量を増加させることができるという点において、第５実施形態の方が好ましい。
【００４５】
Ｇ．第７実施形態：
図９は、第７実施形態としての発電装置１００ｇの構成を示す説明図である。図７に示した第５実施形態との違いは、偏心錘２０ｃの回転軸Ｏが、２つの振動体１２、１４の間ではなく、振動体１２の外側に位置しており、偏心錘２０ｃは、振動体１４のみに接触する点と、圧電素子４０Ｂが、振動体１４の内側に取り付けられているという点であり、他の構成は第５実施形態と同じである。
【００４６】
このように、偏心錘２０の回転軸Ｏの位置は限定されないが、発電装置１００を小型化することができるという点や、偏心錘２０ｃが振動体１２と振動体１４の両方を弾くことができ、効率よく発電することができるという点において、第５実施形態の方が好ましい。
【００４７】
Ｈ．第８実施形態：
図１０は、第８実施形態としての発電装置１００ｈの構成を示す説明図である。図１に示した第１実施形態との違いは、音叉型振動体が、２つの振動体の両端が一体となって固定された双音叉型振動体１０ｈであるという点と、圧電素子４０Ｃ、４０Ｄが追加して取り付けられているという点であり、他の構成は第１実施形態と同じである。
【００４８】
この双音叉型振動体１０ｈは、固定部５０、５２によって筐体９０に固定されている。また、偏心錘２０の回転軸Ｏは、筐体９０の奥行き方句に位置する壁（図示せず）に固定されている。
【００４９】
この第８実施形態の双音叉型振動体１０ｈは、機械的Ｑ値が大きいので、振動の持続時間が長い。したがって、この第８実施形態の発電装置１００ｈによれば、発電量をさらに増加させることができる。
【００５０】
Ｉ．発電装置を搭載した装置の実施形態：
図１１は、発電装置１００を搭載した劣化監視装置１０００が、風車１５０に取り付けられている様子を示す説明図である。劣化監視装置１０００は、風車１５０のブレード１５２に取り付けられており、ブレード１５２の劣化を監視する。劣化監視装置１０００は、上記実施形態における発電装置１００を備えているため、発電装置１００によって発電される電力によって、動作をする。
【００５１】
図１２は、劣化監視装置１０００のパッケージング構成を概略的に示す説明図である。劣化監視装置１０００は、発電装置１００と、整流回路（ダイオードブリッジ）２００と、蓄電コンデンサ３００と、劣化検知センサ４００と、アンテナを備えた無線回路５００とを備えている。
【００５２】
発電装置１００は、風車１５０の回転によって発電する装置である。この発電装置１００としては、上述した全ての実施形態の発電装置を利用することができる。整流回路２００は、発電装置１００からの電流を直流に整流する。
【００５３】
蓄電コンデンサ３００は、整流回路２００に接続されており、発電装置１００（圧電素子４０Ａ、４０Ｂ）によって発電された電気を蓄えるとともに、電圧の平滑化を行なう。劣化検知センサ４００は、発電装置１００から電力の供給を受けて、ブレード１５２の劣化状態を検知する。無線回路５００は、発電装置１００から電力の供給を受けて、劣化検知センサ４００によって検知された劣化状態を無線によって外部に伝達する。
【００５４】
このように、上記実施形態の発電装置１００を搭載した劣化監視装置１０００によれば、外部から電力の供給を受けるためのケーブルが不要であるため、設置の自由度が大幅に向上する。さらに、劣化監視装置１０００は、無線回路５００を備えているため、情報を取り出すためのケーブルが不要であり、設置の自由度がさらに向上する。
【００５５】
図１３は、発電装置１００を搭載したタイヤ空気圧監視装置２０００が、タイヤ１６０に取り付けられている様子を示す説明図である。この図１３に示すように、発電装置１００は、空気圧センサ４１０を備えるタイヤ空気圧監視装置２０００に搭載することもできる。発電装置としては、上述した全ての実施形態の発電装置を利用することができる。
【００５６】
このように、上記実施形態の発電装置１００を搭載したタイヤ空気圧監視装置２０００によれば、外部から電力の供給を受けるためのケーブルが不要であるため、設置の自由度が大幅に向上する。さらに、タイヤ空気圧監視装置２０００は、無線回路５００を備えているため、情報を取り出すためのケーブルが不要であり、設置の自由度がさらに向上する。
【００５７】
Ｊ．変形例：
なお、この発明は上記の実施形態や実施形態に限られるものではなく、その要旨を逸脱しない範囲において種々の態様において実施することが可能であり、例えば次のような変形も可能である。
【００５８】
Ｊ１．変形例１：
上記実施形態では、偏心錘２０と振動体１２、１４との固着を抑制するための滑り機構として、回転体２２が採用されているが、滑り機構としては、例えば、ベアリングボールやコロ等を採用することもできる。また、上記実施形態では、滑り機構としての回転体２２は、偏心錘２０に設けられているが、滑り機構は、振動体１２、１４に設けてもよい。
【００５９】
Ｊ２．変形例２：
上記第５実施形態では、偏心錘２０ｃと振動体１２、１４の両方にＤＬＣ被膜を形成しているが、ＤＬＣ被膜は、偏心錘２０ｃと振動体１２、１４のうちの少なくとも一方に形成してもよい。また、ＤＬＣ被膜の代わりに、摩擦を小さくするための他の表面処理を施してもよい。また、ＤＬＣ被膜等の摩擦を小さくするための表面処理は、第１実施形態等の振動体１２、１４に設けられた凸部１６Ａ、１６Ｂに施してもよく、偏心錘２０の先端に設けられた滑り機構としての回転体２２に施してもよい。
【００６０】
Ｊ３．変形例３：
上記第１〜第６及び第８実施形態では、偏心錘２０は、振動体１２と振動体１４の両方を弾いているが、偏心錘２０は、振動体１２と振動体１４の少なくとも一方を弾く構成であってもよい。
【００６１】
Ｊ４．変形例４：
上記実施形態では、発電装置１００を搭載した装置の例として、劣化監視装置１０００やタイヤ空気圧監視装置２０００について説明したが、上記各実施形態における発電装置１００〜１００ｈは、回転する種々の装置に搭載することができる。例えば、発電装置１００〜１００ｈは、歯車のオイル漏れ検知モジュールや、路面状況検知モジュール等に搭載することができる。
【００６２】
本発明は、上述の実施形態や実施例、変形例に限られるものではなく、その趣旨を逸脱しない範囲において種々の構成で実現することができる。例えば、発明の概要の欄に記載した各形態中の技術的特徴に対応する実施形態、実施例、変形例中の技術的特徴は、上述の課題の一部又は全部を解決するために、あるいは、上述の効果の一部又は全部を達成するために、適宜、差し替えや、組み合わせを行うことが可能である。また、その技術的特徴が本明細書中に必須なものとして説明されていなければ、適宜、削除することが可能である。
【符号の説明】
【００６３】
１０…音叉型振動体
１０ｈ…双音叉型振動体
１２…振動体
１２ｔ…自由端
１４…振動体
１４ｔ…自由端
１６…根元
２０…偏心錘
２０ｃ…偏心錘
４０Ａ〜４０Ｄ…圧電素子
５０…固定部
５２…固定部
６０…支持体
９０…筐体
１００…発電装置
１００ｂ…発電装置
１００ｃ…発電装置
１００ｄ…発電装置
１００ｅ…発電装置
１００ｆ…発電装置
１００ｇ…発電装置
１００ｈ…発電装置
１５０…風車
１５２…ブレード
１６０…タイヤ
２００…整流回路
３００…蓄電コンデンサ
４００…劣化検知センサ
４１０…空気圧センサ
５００…無線回路
１０００…劣化監視装置
２０００…タイヤ空気圧監視装置
【図１】
2014121168.tif 000003
【図２】
2014121168.tif 000004
【図３】
2014121168.tif 000005
【図４】
2014121168.tif 000006
【図５】
2014121168.tif 000007
【図６】
2014121168.tif 000008
【図７】
2014121168.tif 000009
【図８】
2014121168.tif 000010
【図９】
2014121168.tif 000011
【図１０】
2014121168.tif 000012
【図１１】
2014121168.tif 000013
【図１２】
2014121168.tif 000014
【図１３】
2014121168.tif 000015